(57)【要約】【課題】  組織に対して、１針１針、針に糸またはステープラーで縫う操作を代行できる器具の提供である。【解決するための手段】  圧挫部と、マイクロ波を印加するための中心導体、及び／又は外部導体を含む突出部とを有する組織縫合器が、該突出部と該圧挫部によって縫合対象組織の断片部分同志を接触又は重ねて、さらにマイクロ波によって接触又は重ねた部分を凝固及び／又は固着して縫合対象組織を縫合することを確認して本発明を完成した。【選択図】図１
2013089257.tif 000002
【特許請求の範囲】
【請求項１】
組織縫合器であって、
圧挫部と、
マイクロ波を印加するための中心導体及び／又は外部導体を含む突出部と、を有し、
該突出部と該圧挫部によって縫合対象組織の断片部分同志を接触又は重ねて、さらにマイクロ波によって接触又は重ねた部分を凝固及び／又は固着して縫合対象組織を縫合することを特徴とする組織縫合器。
【請求項２】
請求項１に記載の組織縫合器であって、
２以上の互いに向かい合う圧挫部と、
該圧挫部に固定された１以上のマイクロ波を印加するための中心導体及び／又は外部導体を含む突出部と、を有し、
それぞれ向かい合う圧挫部と突出部によって縫合対象組織の断片部分同志を接触又は重ね、さらにマイクロ波によって接触又は重ねた部分を凝固及び／又は固着して縫合対象組織を縫合することを特徴とする組織縫合器。
【請求項３】
請求項１又は２に記載の組織縫合器であって、
前記圧挫部に小孔を有し、
該小孔は向い合う圧挫部に固定された突出部の受け手となり、
それぞれ向かい合う突出部と圧挫部の小孔によって縫合対象組織の断片部分同志を接触又は重ねて、さらにマイクロ波によって接触又は重ねた部分を凝固及び／又は固着して縫合対象組織を縫合することを特徴とする組織縫合器。
【請求項４】
請求項３に記載の組織縫合器であって、
それぞれ向かい合う突出部と圧挫部の小孔によって縫合対象組織の断片部分同志を接触又は重ねて、さらに互いの組織を小孔内に圧入させて、マイクロ波によって接触又は重ねた部分を凝固及び／又は固着して縫合対象組織を縫合することを特徴とする組織縫合器。
【請求項５】
請求項２〜４のいずれか１に記載の組織縫合器であって、
ハサミ形状の構造を有し、
該ハサミのそれぞれの刃先に前記圧挫部が固定されており、
該ハサミのグリップを握ることにより、それぞれ向かい合う突出部と圧挫部及び／又は圧挫部の小孔によって縫合対象組織の断片部分同志を接触又は重ねて、さらにマイクロ波によって接触又は重ねた部分を凝固及び／又は固着して縫合対象組織を縫合することを特徴とする組織縫合器。
【請求項６】
請求項３〜５のいずれか１に記載の組織縫合器であって、
前記２以上の突出部が列を形成し、さらに２以上の小孔は列を形成した向い合う突出部の受け手になるために列を形成していることを特徴とする組織縫合器。
【請求項７】
前記列が複数であることを特徴とする請求項６に記載の組織縫合器。
【請求項８】
請求項３〜５のいずれか１に記載の組織縫合器であって、
前記突出部が線状の突出部を形成し、さらに小孔は線状の突出部の受け手になるための構造であることを特徴とする組織縫合器。
【請求項９】
請求項１〜６のいずれか１に記載の組織縫合器であって、
突出部が中心導体を含み、圧挫部が外部導体を含むことを特徴とする組織縫合器。
【請求項１０】
請求項１〜６のいずれか１に記載の組織縫合器であって、
それぞれ向かい合う２組の突出部と小孔を有し、一つの突出部が内部導体を含み、もう一つの突出部が外部導体を含むことを特徴とする組織縫合器。
【請求項１１】
前記突出部、前記中心導体、及び／又は前記外部導体の直径が先端に向かって漸次又は段階的に小さくなることを特徴とする請求項１〜１０のいずれか１に記載の組織縫合器。
【請求項１２】
前記突出部が半割構造であることを特徴とする請求項１〜１０のいずれか１に記載の組織縫合器。
【発明の詳細な説明】
【技術分野】
【０００１】
本発明は、マイクロ波を利用し、糸で縫合する代わりに組織辺と組織辺を合わせ、組織を凝固・固着して縫合対象組織に縫合と実質的に同一効果を出す器具、すなわち組織縫合器（スティッチ）に関する。
なお、本出願は、参照によりここに援用されるところ、日本特許出願番号2011-273043からの優先権を請求する。
【背景技術】
【０００２】
マイクロ波で手術支援機器が開発され、凝固、切断、剥離、穿刺、シーリングについては、本発明者等の開発により実用化レベルにきている。例えば、マイクロ波凝固穿刺針やシーリング機器がある。しかしながら、腸管膜等組織同志を縫い合わせる際に、針で糸を通して１針ずつ縫って固定する操作の不要化を可能とする器具はステープラー以外存在しなかった。よって、術者が縫合するには長時間の作業又は高い技術を必要とし、さらには糸又はステープラー等の異物が手術部位に残っている。【０００３】
マイクロ波を利用した縫合装置に関する文献（参照：特許文献１）は報告されている。しかし、本発明の組織縫合器の構造とはまったく異なる。さらに、構造が複雑であり簡便なデバイスとして実用化するのは困難である。更に内視鏡下の手術で、胃腸の壁を縫う必要があるが、内視鏡を通した作業は不可能である。
よって、糸やステープラーで縫って組織を縫合（接着）することを代行できる器具の開発が求められていた。
【先行技術文献】
【特許文献】
【０００４】
【特許文献１】特開平１１−４７１４４
【発明の概要】
【発明が解決しようとする課題】
【０００５】
本発明は、上記問題を解決するために、組織に対して、針に糸またはステープラーで縫う操作を代行できる器具の開発である。
【課題を解決するための手段】
【０００６】
本発明者らは上記課題を解決すべく鋭意研究を重ねた結果、圧挫部と、マイクロ波を印加するための中心導体及び／又は外部導体を含む突出部を有する組織縫合器が、該突出部と該圧挫部によって縫合対象組織の断片部分同志を接触又は重ね、更に互いの組織を小孔内に圧入させ、加えてマイクロ波によって接触又は重ね押入れた部分を凝固及び／又は固着して縫合対象組織を縫合することができることを確認して本発明を完成した。
より詳しくは、互いに向かい合う２つの突出部を、お互いずらして組織に押しつけることにより、突出部が組織を押しこみ、さらに、もう一方の突出部が該組織の反対側からも同じように押しこみ、縫合対象組織の断片部分同志を接触又は重ねて、加えてマイクロ波によって接触又は重ねた部分を凝固及び／又は固着して縫合対象組織を縫合することができる。
なお、組織に押し付けた突出部を取り去った後の該組織は凝固・固定され、互いの組織が圧着と同時に反対側組織と繋がって固定化、支持が強化され糸で縫合した時と実質的に同じように縫合が完成する（参照：図２Ｃ、図３ｂ）。【０００７】
すなわち本発明は以下よりなる。
「１．組織縫合器であって、
圧挫部と、
マイクロ波を印加するための中心導体及び／又は外部導体を含む突出部と、を有し、
該突出部と該圧挫部によって縫合対象組織の断片部分同志を接触又は重ねて、さらにマイクロ波によって接触又は重ねた部分を凝固及び／又は固着して縫合対象組織を縫合することを特徴とする組織縫合器。
２．前項１に記載の組織縫合器であって、
２以上の互いに向かい合う圧挫部と、
該圧挫部に固定された１以上のマイクロ波を印加するための中心導体及び／又は外部導体を含む突出部と、を有し、
それぞれ向かい合う圧挫部と突出部によって縫合対象組織の断片部分同志を接触又は重ね、さらにマイクロ波によって接触又は重ねた部分を凝固及び／又は固着して縫合対象組織を縫合することを特徴とする組織縫合器。
３．前項１又は２に記載の組織縫合器であって、
前記圧挫部に小孔を有し、
該小孔は向い合う圧挫部に固定された突出部の受け手となり、
それぞれ向かい合う突出部と圧挫部の小孔によって縫合対象組織の断片部分同志を接触又は重ねて、さらにマイクロ波によって接触又は重ねた部分を凝固及び／又は固着して縫合対象組織を縫合することを特徴とする組織縫合器。
４．前項３に記載の組織縫合器であって、
それぞれ向かい合う突出部と圧挫部の小孔によって縫合対象組織の断片部分同志を接触又は重ねて、さらに互いの組織を小孔内に圧入させて、マイクロ波によって接触又は重ねた部分を凝固及び／又は固着して縫合対象組織を縫合することを特徴とする組織縫合器。
５．前項２〜４のいずれか１に記載の組織縫合器であって、
ハサミ形状の構造を有し、
該ハサミのそれぞれの刃先に前記圧挫部が固定されており、
該ハサミのグリップを握ることにより、それぞれ向かい合う突出部と圧挫部及び／又は圧挫部の小孔によって縫合対象組織の断片部分同志を接触又は重ねて、さらにマイクロ波によって接触又は重ねた部分を凝固及び／又は固着して縫合対象組織を縫合することを特徴とする組織縫合器。
６．前項３〜５のいずれか１に記載の組織縫合器であって、
前記２以上の突出部が列を形成し、さらに２以上の小孔は列を形成した向い合う突出部の受け手になるために列を形成していることを特徴とする組織縫合器。
７．前記列が複数であることを特徴とする前項６に記載の組織縫合器。
８．前項３〜５のいずれか１に記載の組織縫合器であって、
前記突出部が線状の突出部を形成し、さらに小孔は線状の突出部の受け手になるための構造であることを特徴とする組織縫合器。
９．前記１〜６のいずれか１に記載の組織縫合器であって、
突出部が中心導体を含み、圧挫部が外部導体を含むことを特徴とする組織縫合器。
１０．前記１〜６のいずれか１に記載の組織縫合器であって、
それぞれ向かい合う２組の突出部と小孔を有し、一つの突出部が内部導体を含み、もう一つの突出部が外部導体を含むことを特徴とする組織縫合器。
１１．前記突出部、前記中心導体、及び／又は前記外部導体の直径が先端に向かって漸次又は段階的に小さくなることを特徴とする請求項１〜１０のいずれか１に記載の組織縫合器。
１２．前記突出部が半割構造であることを特徴とする請求項１〜１０のいずれか１に記載の組織縫合器。」
【発明の効果】
【０００８】
術中、簡単な操作で組織間隙を閉鎖する必要がある。例えば、小腸を切除した後の腸間膜縁同士を縫う場合は互いの辺縁近くに糸を何針かかけて閉鎖する必要がある。しかし膜状物と膜状物をお互いつなげる縫合に代わる機器は今までになかった。
本発明に係る組織縫合器は、糸で結紮、縫合するのと同じ作業がほぼ一瞬にして終わる。この操作を何度か実施すると長い間膜の閉鎖が容易に短時間で終わることができる。さらに、腸管の縫合等で縫合のある部位を弱いと感じた時、弱い部分の辺縁部分のみをマイクロ波で印加すれば糸と１針追加でかけたと同じ効果を得ることができる。【０００９】
突出部を数多く平面上に固定した圧挫部を有する本発明の組織縫合器では、２つの平面を持つ組織を挟み及びマイクロ波を印加する操作を繰り返すことにより、線状面状の組織をお互い凝固・固着することができる。
【図面の簡単な説明】
【００１０】
【図１】a：本発明の組織縫合器の突出部６と圧挫部１の拡大図である。台座形状物の圧挫部１には、突出部６が入り込む小孔３がある。縫合対象組織の断片部分同志を挟んで圧力をかけると、突出部６が該組織を圧挫部１に押し込むこととなる。b: 本発明のハサミ形状の組織縫合器の試作器である。縫合対象組織の断片部分同志を挟んでグリップ８を握ることにより、突出部６が該組織を圧挫部１に押し込むことができる。
【図２Ａ】本発明の組織縫合器の台座形状物の圧挫部１と突出部６の１例を図示したものである。台座形状物の圧挫部１を上と横から見た図である。
【図２Ｂ】本発明の組織縫合器の全体の１例を図示したものである。
【図２Ｃ】本発明の組織縫合器の使用例を図示したものである。２つの突出部６は、それぞれ、向かい合う圧挫部１に組織を押し込んでいる。なお、突出部６は穿刺針用形状以外に、半割構造でも先細構造でも良い。
【図２Ｄ】本発明の組織縫合器の使用例を図示したものである。台座形状物の圧挫部１の突出部６に刃先が設置され、該刃先は、台座形状物の圧挫部と向かい合うのではなく、両刃先同志が組織等を介して向かい合い、刃先先端部より、マイクロ波が印加され、圧縮、凝固する。
【図３】豚の腸間膜切開部の閉鎖実験であって、本発明の組織縫合器の使用例を図示したものである。aは、切開ラインをそろえ、把持圧挫し、マイクロ波を印加して凝固処理している。bは、３回の凝固操作により切開部位は緊張をかけても接着が保たれることを示す。
【図４】針状（中心導体２の直径が先端に向かって漸次又は段階的に小さくなっている：参照図５a）の突出部６を有する場合の本発明の組織縫合器におけるマイクロ波照射によるE-Field（V/m)を示す。縫合対象箇所の周辺に対して十分にマイクロ波を印加できることを示している。
【図５】a：先端が先細りしている突出部６、b：先端が先細りしておりかつ半割構造の突出部６、c：半割構造している突出部６
【発明を実施するための形態】
【００１１】
以下に本発明の実施形態を、添付図面を参照しながら説明する。ただし、これらの図は本発明の内容を象徴的に示す一例であって、本発明はこれらに限定されるものではない。
【００１２】
本発明の機序は、２以上の互いに向かい合う圧挫部１、該圧挫部に固定された１以上のマイクロ波を印加するための中心導体２及び／又は外部導体９を含む突出部６、向い合う圧挫部に固定された突出部の受け手となる小孔３を有するため、向かい合う圧挫部１を合わせると、平面が接するまで圧着することができる（図１）。
より詳しくは、互いに向かい合う圧挫部間に挟まれた異なる組織２面が反対の組織に押し込まれ、マイクロ波を印加されることにより凝固されることになる。
また、原則、マイクロ波は、中心導体から外部導体９に向かって飛ばすので、本発明の組織縫合器は、中心導体及び外部導体９が必要である。例えば、突出部６が中心導体２及び外部導体９の両方を含んでいれば、縫合対象組織の断片部分にマイクロ波を印加することができる。また、突出部６が中心導体２のみを有すれば、他の突出部６又は圧挫部１が外部導体９を含んでいれば良い。さらに、突出部６が外部導体９のみを有すれば、他の突出部６又は圧挫部１が内部導体２を含んでいれば良い。
【００１３】
本発明の組織縫合器の試作例を図１に示す。本発明の組織縫合器は、長径の突出部６の形態及び圧挫部１の形態に特徴があり、この形態をとることにより、従来にない効果である、組織等の縫合的処置が可能である。
本発明の組織縫合器は、少なくともマイクロ波を印加するための中心導体２及び／又は外部導体９を含む長径の突出部６を有する。
【００１４】
長径の突出部６は、台座形状物の圧挫部１に固定され、好適には、長径の突出部６一対が向かいあう状態にある。無論、所望により、長径の突出部６は対にならずとも良く、加えて、長径の突出部６が複数対複数であっても良く、あるいは櫛状であって面であっても良い。
【００１５】
長径の突出部６が向かい合う場合、長径の突出部６は目的とする組織等を挟めるように、組織等の厚さに適合する間隙をもって相対する。
【００１６】
台座形状物の圧挫部１は、相手側長径の突出部６の受け手であり、平面でもよいが、好適には、受け手として少孔３を有する。小孔３は、突出部６の形状に相応していることが好適である。突出部６が対の場合、小孔３も同様に、対で有する。
【００１７】
本発明の組織縫合器は、好ましくはハサミ形状やシーリング器の構造を有する。例えば、該ハサミのそれぞれの刃先７に圧挫部１が固定されており、ハサミのグリップ８を握ることにより、それぞれ向かい合う突出部６と圧挫部１及び／又は圧挫部の小孔３によって縫合対象組織の断片部分同志を接触又は重ねて、さらにマイクロ波によって接触又は重ねた部分を凝固及び／又は固着して縫合対象組織を縫合することができる（参照：図１b）。
より詳しくは、台座形状物の圧挫部１は、ハサミの切り込み動作により縫合対象組織の断片部分の挟み込み（把持）機能をもつ。また、刃の形状は、滑る刃（参照：ＷＯ２００８／０５６７３２）の形状とすることもできる。
【００１８】
突出部６は、先端が先細（参照：図５a）又は円柱・角柱の平面であることが例示される。この場合、マイクロ波伝送用中心導体２は、先細り先端部位、円柱・角柱先端部位で絶縁体材料から露出する。
なお、より好ましくは、突出部、中心導体２、及び／又は外部導体９の直径が先端に向かって漸次又は段階的に小さくなることを特徴とする。本発明者らは、このような先細りする突出部６（先細構造）は、凝固対象組織に効率的にマイクロ波を印加することができ、さらに非凝固対象組織の損傷を少なくすることができることを確認している。
【００１９】
また、長径の突出部は、いわゆる円柱・角柱の場合だけでなく、半割（柱を縦方向に、真ん中あたりで半分に切った柱の半分であって、柱の中心をマイクロ波伝送用中心導体２が走っており、半分に切った時、該中心導体２が露出する構造をいい、中心導体２と外部導体９の間に絶縁層を設けた同軸構造にし、それを縦に切断し、中心導体２が縦長に露出した半割形状：参照：図5c）構造で、縦に一部、中心導体２が絶縁体材料から露出する。
本発明者らは、このような半割構造の突出部６は、凝固対象組織にマイクロ波を印加することができ、さらに非凝固対象組織の損傷を少なくすることができることを確認している。
【００２０】
中心導体２から印加されるマイクロ波の受け手は、向かい合う相手側外部導体９（例えば、圧挫部１、突出部６）であることもでき、外部導体９は、組織縫合目的にあわせて位置調整がされる。例えば、台座形状物の圧挫部１自体は絶縁体とし、この台座形状物の圧挫部の一部例えば外側を囲むように設置する。
長径の突出部６が、半割構造の場合、相対する一の長径の突出部６を半割にし、他を半割形状に相応する形態の外部導体９を半割中心柱に設置してもよい。あるいは、長径の突出部６自体の中心に中心導体２を設置し、それを絶縁体材料で囲み、その外形外側の一部もしくは全部を外部導体９で囲むことも可能である。
【００２１】
好適な、長径の突出部６、台座形状物の圧挫部１、腕部は、以下である。
【００２２】
長径の突出部６は、円、楕円、半円、半割形状の断面をもち、長径の突出部６の長さは、０．１〜６０ｍｍ、好適には０．５〜１０ｍｍ、さらに好適には１〜５ｍｍ、具体的には、例えば１．０〜３．０ｍｍ、あるいは約２．０ｍｍが例示される。その直径は、０．１〜５ｍｍ、好適には０．２〜３ｍｍ、さらに好適には０．５〜２ｍｍ、具体的には、例えば０．８〜１．８ｍｍ、あるいは１．０ｍｍが例示される。
【００２３】
台座形状物の圧挫部１は、円形又は角型であるが、その最大径は、突起が単一の場合には１〜１０ｍｍ、好適には２〜８ｍｍ、さらに好適には２．５〜５ｍｍ、より具体的には、例えば２．５〜４ｍｍ、あるいは３ｍｍが例示される。
【００２４】
台座形状物の圧挫部１には、好適には、長径の突出部６の受けてとして小孔３が設けられる。小孔３は、長径の突出部６の形状に相応する形状・長さであれば良い。その最大径は、０．３〜８ｍｍ、好適には０．４〜５ｍｍ、さらに好適には０．８〜４ｍｍ、具体的には、例えば０．９〜３．０ｍｍ、あるいは１．５ｍｍが例示される。
【００２５】
小孔３は、長径の突出部６の形状に相応する形状で、その最大深さは、挟む組織によって変わる。一般的には、０．５〜５ｍｍ、好適には１．０〜３ｍｍ、さらに好適には１．５〜２．５ｍｍ、具体的には、例えば１．８〜２．３ｍｍ、あるいは２．０ｍｍが例示される。
【００２６】
台座形状物の圧挫は腕部に繋がりその中をマイクロ波伝送用中心導体２が走る。腕部の径は、特に制限されないが、挟み機構で、相対する長径の突出部及び／又は台座形状物の圧挫部で組織を挟み込むので、相応の強度を維持できる材質、太さ、長さが自体自明の方法で調整可能である。例えば、ステンレス製の材質を選んだ場合、３〜６ｍｍ程度の径である。
【００２７】
本発明の組織縫合器は、同軸状のケーブルからなるマイクロ波伝送部でマイクロ波発生装置と接続されている。
【００２８】
本発明において、中心導体２及び外部導体９は、いわゆる電気伝導体によって調製される。そして、伝導体は好適には、非磁性体材料で形成されていることが好ましい。非磁性体材料とは、具体例として、黄銅（銅＋スズ）、リン青銅（銅＋スズ＋リン）、銅、亜鉛、金、銀合金等があげられる。絶縁体は、いわゆる耐熱性の電気あるいは熱を通しにくい性質を持つ物質であれば特に限定はない。耐熱温度は、略１２０℃以上であればよく特に限定されない。
【００２９】
出力源と中心導体２を繋ぐ同軸ケーブルは、据え置き型発振器の場合、マイクロ波伝送部となり、チューブ状の軟性の屈曲可能なケーブルとすることができる（同軸ケーブルを包み込むチューブ）。携帯型発振器では電気コードとなる。
【００３０】
本発明の組織縫合器は、出力源から同軸ケーブルを経て中心導体２によってマイクロ波が縫合対象生体組織等に印加される。本発明において、好ましくは印加される電圧は１Ｖ〜６０Ｖである。６０Ｖより高ければ、組織に及ぼす損傷が大きくなる可能性がある。また、１５Ｖ未満が必要なのは細小血管の止血や近傍部熱損傷を避ける（脳外科）場合も考慮した条件である。
【００３１】
図１は、本発明の組織縫合器本体の写真図である。長径の突出部６は、相対する台座形状物の圧挫部１の小孔３に相応して挿入可能である。長径の突出部６には、マイクロ波伝送用中心導体２があり、台座形状物の圧挫部１の外側周縁は外部導体９がまかれている（圧挫部１が外部導体９を含む）。ハサミのようにグリップ８を握れば、両長径の突出部６が相応して対応する小孔３に挿入される。
【００３２】
図２Ａ〜Ｄは、本発明の組織縫合器を図示する。
Ａは、台座形状物の圧挫部１、マイクロ波伝送用中心導体２、小孔３の関係をみたものである。
Ｂは、本発明の組織縫合器の長径の突出部６が、一対のとき、相互に少しずれて、長径の突出部６がどちらも台座形状物の圧挫部１に届き接触することができることを示す。
Ｃは、組織４を挟んで、縫合する状態を図示する。組織４、組織間空隙５、相対する長径の突出部６、台座形状物の圧挫部１との接触の関係が示される。より詳しくは、２つの長径の突出部６が、互いに、組織４を対側に押し込み、該組織４を圧縮・凝固・固着させている。
Ｄは、本発明の組織縫合器の別の形状を示し、長径の突出部６は相対するが台座形状物の圧挫１とは接触しないような形態である。Ｄでは、２つの長径の突出部６同志で組織４を挟み込み、圧縮、凝固・固着させている。
【００３３】
図３aは、ブタの腸間膜を切離した後、本発明の組織縫合器の突出部６と圧挫部１によりそれぞれの断端（組織辺）を把持し、圧挫、マイクロ波印加することにより腸間膜が縫合と同じ効果で閉鎖できたことを確認した。
図３ｂは、該閉鎖操作後のラインに緊張をかけ、縫着を確認している。豚の腸間膜切開部の閉鎖実験であるが、従来糸で縫い合わせた場合に比較して、数倍の速さで縫合が完成し、得られた縫合部位の安定性は非常に優れていた。しかも、術後抜糸の必要もなく、体内に異物を残さない手術が実現し、極めて優れた組織縫合器であることを確認した。
【００３４】
使用にあたっては、出力コネクターと本発明の組織縫合器を接続し、長径の突出部６を、目的の組織４の縫合部位に接触させ挟み込み、マイクロ波を印加し、目的組織同志を略１．５ｍｍの深さまで凝固させ、固着し、縫合した。
【産業上の利用可能性】
【００３５】
以上説明したように、本発明の組織縫合器は、医療分野での外科的処置領域において、縫合対象物である生体組織等にマイクロ波が印加されることで、生体組織の広い範囲で縫合を達成することができる。特に、間膜、腸管、血管等の縫合に応用可能である。したがって、本発明の組織縫合器は、操作しやすく、組織縫合を簡単に達成しうる手術器である。また、ミストや煙が出ず、止血能が極めて強く優れており、限られた空間での手術器としても適している。
【符号の説明】
【００３６】
１：圧挫部
２：中心導体
３：小孔
４：組織
５：空隙
６：突出部
７：刃先
８：グリップ
９：外部導体
１０：絶縁体
【図１】
2013089257.tif 000003
【図２Ａ】
2013089257.tif 000004
【図２Ｂ】
2013089257.tif 000005
【図２Ｃ】
2013089257.tif 000006
【図２Ｄ】
2013089257.tif 000007
【図３】
2013089257.tif 000008
【図４】
2013089257.tif 000009
【図５】
2013089257.tif 000010
【国際調査報告】
2013089257.tif 000011
2013089257.tif 000012
2013089257.tif 000013
2013089257.tif 000014